【手続補正書】
【提出日】平成27年3月17日(2015.3.17)
【手続補正１】
【補正対象書類名】特許請求の範囲
【補正対象項目名】全文
【補正方法】変更
【補正の内容】
【特許請求の範囲】
【請求項１】
持点による遊技が可能であり、入賞の発生に応じて持点が加算される遊技機と、遊技者所有の遊技用価値を用いて持点を加算するとともに前記遊技機と通信可能に接続される遊技用装置とからなる遊技用システムであって、
前記遊技機は、
内部に封入される遊技媒体により遊技が可能であり、
遊技機器の前面を開閉可能に覆っている前面部材と、
該前面部材を閉塞状態でロックするロック手段と、
遊技への使用および入賞の発生に応じた持点の変化量を特定する特定手段と、
前記変化量を特定可能な更新情報を前記遊技用装置へ送信する情報送信手段とを含み、
前記遊技用装置は、
前記持点を記憶する持点記憶手段と、
受信した前記更新情報に基づいて前記持点記憶手段が記憶している持点を更新する持点更新手段と、
前記ロック手段によるロックの解除を指示するための情報を前記遊技機に送信する解除情報送信手段とを含み、
前記遊技機は、さらに、
前記解除情報送信手段から送信されるロックの解除を指示するための情報を受信したときに、持点による遊技を禁止する遊技禁止手段と、
該遊技禁止手段により持点による遊技が禁止されたことを条件として前記ロック手段によるロックを解除させる制御を行なう解除制御手段とを含み、
該解除制御手段は、前記遊技禁止手段により持点による遊技が禁止された後、遊技結果の確定を待つための所定条件が成立するまで前記ロック手段によるロックを解除させる制御を遅延させる遅延手段を含む、遊技用システム。
【請求項２】
記録媒体の記録情報により特定される残額を用いて持点を加算する遊技用装置と通信可能に接続するための接続部を備え、持点による遊技が可能であり、入賞の発生に応じて持点が加算される遊技機であって、
内部に封入される遊技媒体により遊技が可能であり、
遊技機器の前面を開閉可能に覆っている前面部材と、
該前面部材を閉塞状態でロックするロック手段と、
遊技への使用および入賞の発生に応じた持点の変化量を特定する特定手段と、
前記変化量を特定可能な更新情報を前記遊技用装置へ送信する情報送信手段と、
前記遊技用装置から送信される前記ロック手段によるロックの解除を指示するための情報を受信したときに、遊技者による遊技を禁止する遊技禁止手段と、
該遊技禁止手段により持点による遊技が禁止された後に前記ロック手段によるロックを解除させる制御を行なう解除制御手段とを含み、
該解除制御手段は、前記遊技禁止手段により持点による遊技が禁止された後、遊技結果の確定を待つための所定条件が成立するまで前記ロック手段によるロックを解除させる制御を遅延させる遅延手段を含む、遊技機。
【手続補正２】
【補正対象書類名】明細書
【補正対象項目名】００１２
【補正方法】変更
【補正の内容】
【００１２】
（１）  持点による遊技が可能であり、入賞の発生に応じて持点が加算される遊技機（パチンコ機２）と、遊技者所有の遊技用価値（プリペイド残高、持玉数、あるいは貯玉数）を用いて持点を加算するとともに前記遊技機と通信可能に接続（コネクタ３３０、２０と接続配線）される遊技用装置（カードユニット３）とからなる遊技用システムであって、
前記遊技機は、
内部に封入される遊技媒体により遊技が可能であり、
遊技機器の前面を開閉可能に覆っている前面部材（前枠５、ガラス扉６）と、
該前面部材を閉塞状態でロックするロック手段（前枠開放ソレノイド１１、ガラス扉開放ソレノイド１０、係合突起８、係合穴９、係合受け片７ａ、７ｂ、係合突起６ａ、６ｂ）と、
遊技への使用および入賞の発生に応じた持点の変化量（加算玉数、減算玉数）を特定する特定手段（遊技機制御用のマイクロコンピュータ、加算玉数カウンタ、減算玉数カウンタ）と、
前記変化量を特定可能な更新情報（加算玉数および減算玉数を含む動作応答）を前記遊技用装置へ送信する情報送信手段（玉数制御基板１７）とを含み、
前記遊技用装置は、
前記持点を記憶する持点記憶手段（「遊技玉数」を記憶するＲＡＭ）と、
受信した前記更新情報に基づいて前記持点記憶手段が記憶している持点を更新する持点更新手段（制御部３２３）と、
前記ロック手段によるロックの解除を指示するための情報（図２３；禁止要求有およびガラス開要求有の動作指示）を前記遊技機に送信する解除情報送信手段（遊技機通信部３２５）とを含み、
前記遊技機は、さらに、
前記解除情報送信手段から送信されるロックの解除を指示するための情報を受信したときに、持点による遊技を禁止する遊技禁止手段（図２３；玉数制御基板１７による打球発射モータ１８の駆動停止）と、
該遊技禁止手段により持点による遊技が禁止されたことを条件として前記ロック手段によるロックを解除させる制御を行なう解除制御手段（図２３；玉数制御基板１７によるロック解除）とを含み、
該解除制御手段は、前記遊技禁止手段により持点による遊技が禁止された後、遊技結果の確定を待つための所定条件が成立するまで前記ロック手段によるロックを解除させる制御を遅延させる遅延手段（図２３；玉数制御基板１７により、浮遊玉処理待ち時間（１０秒）の間または発射玉数と回収玉数とが等しくなるまで、前枠開放ソレノイド１１、ガラス扉開放ソレノイド１０の励磁を遅延させる）を含む。
【手続補正３】
【補正対象書類名】明細書
【補正対象項目名】００１５
【補正方法】変更
【補正の内容】
【００１５】
さらに、遊技機側で持点による遊技が禁止され、かつ、遊技機側での遊技結果の確定を待つための所定条件が成立するまでロック手段によるロックを解除させる制御が遅延されるために、前面部材の閉塞状態を遊技用装置側からの指示にて遊技結果に影響を与えることなく解除可能となる。
【手続補正４】
【補正対象書類名】明細書
【補正対象項目名】００２２
【補正方法】変更
【補正の内容】
【００２２】
（５）  記録媒体の記録情報（遊技用カード）により特定される残額（プリペイド残高）を用いて持点を加算する遊技用装置（カードユニット３）と通信可能に接続するための接続部（コネクタ２０）を備え、持点による遊技が可能であり、入賞の発生に応じて持点が加算される遊技機（パチンコ機２）であって、
内部に封入される遊技媒体により遊技が可能であり、
遊技機器の前面を開閉可能に覆っている前面部材（前枠５、ガラス扉６）と、
該前面部材を閉塞状態でロックするロック手段（前枠開放ソレノイド１１、ガラス扉開放ソレノイド１０、係合突起８、係合穴９、係合受け片７ａ、７ｂ、係合突起６ａ、６ｂ）と、
遊技への使用および入賞の発生に応じた持点の変化量（加算玉数、減算玉数）を特定する特定手段（遊技機制御用のマイクロコンピュータ、加算玉数カウンタ、減算玉数カウンタ）と、
前記変化量を特定可能な更新情報（加算玉数および減算玉数を含む動作応答）を前記遊技用装置へ送信する情報送信手段（玉数制御基板１７）と、
前記遊技用装置から送信される前記ロック手段によるロックの解除を指示するための情報を受信したときに、遊技者による遊技を禁止する遊技禁止手段（図２３；玉数制御基板１７による打球発射モータ１８の駆動停止）と、
該遊技禁止手段により持点による遊技が禁止された後に前記ロック手段によるロックを解除させる制御を行なう解除制御手段（図２３；玉数制御基板１７によるロック解除）とを含み、
該解除制御手段は、前記遊技禁止手段により持点による遊技が禁止された後、遊技結果の確定を待つための所定条件が成立するまで前記ロック手段によるロックを解除させる制御を遅延させる遅延手段（図２３；玉数制御基板１７により、浮遊玉処理待ち時間（１０秒）の間または発射玉数と回収玉数とが等しくなるまで、前枠開放ソレノイド１１、ガラス扉開放ソレノイド１０の励磁を遅延させる）を含む。
【手続補正５】
【補正対象書類名】明細書
【補正対象項目名】００２５
【補正方法】変更
【補正の内容】
【００２５】
さらに、遊技機側で持点による遊技が禁止され、かつ、遊技機側での遊技結果の確定を待つための所定条件が成立するまでロック手段によるロックを解除させる制御が遅延されるために、前面部材の閉塞状態を遊技用装置側からの指示にて遊技結果に影響を与えることなく解除可能となる。